(57)【要約】【課題】アンテナケーブルを、劣化を防止できると共に屋根の美観を損なうことなく配線できると同時に、屋根への棟包みや換気棟の設置後に期間をおいてアンテナを屋根に設置する場合でも、アンテナケーブルの配線を簡単になし得るようにする。【解決手段】屋根４の棟部を上側から覆うように棟包みが設けられた棟構造において、アンテナケーブル１７が棟包み９内に配線保持され、該アンテナケーブル１７の一端部に、屋根４上に設置されるアンテナのアンテナケーブルに接続可能な外コネクタ１８が設けられ、アンテナケーブル１７の他端側は、屋根４の棟部から屋内に導入可能な長さに設定されている。【選択図】図１
2005102398.tif 000002
【特許請求の範囲】
【請求項１】
屋根（４）の棟部を上側から覆うように棟包み（９）が設けられた棟構造において、
アンテナケーブル（１７）が棟包み（９）内に配線保持され、該アンテナケーブル（１７）の一端部に、屋根（４）上に設置されるアンテナのアンテナケーブルに接続可能な外コネクタ（１８）が設けられ、アンテナケーブル（１７）の他端側は、屋根（４）の棟部から屋内に導入可能な長さに設定されていることを特徴とする棟構造。
【請求項２】
屋根（４）の棟部分に設けた屋根開口部（３３）の上方に換気棟（３４）が設けられ、屋根開口部（３３）からの排気が換気棟（３４）を通して外部に排出されるようにした棟構造において、
アンテナケーブル（１７）が換気棟（３４）内に配線保持され、アンテナケーブル（１７）の一端部に、屋根（４）上に設置されるアンテナのアンテナケーブルに接続可能な外コネクタ（１８）が設けられ、アンテナケーブル（１７）の他端側は、屋根開口部（３３）から屋内に導入可能な長さに設定されていることを特徴とする棟構造。
【請求項３】
前記外コネクタ（１８）が外方突出するように、アンテナケーブル（１７）の一端部が棟包み（９）又は換気棟（３４）に内外貫通状に挿通保持されていることを特徴とする請求項１又は２に記載の棟構造。
【請求項４】
前記アンテナケーブル（１７）の他端部に、屋内に配線されるアンテナケーブルに接続可能な内コネクタ（２８）が設けられていることを特徴とする請求項１又は２に記載の棟構造。
【発明の詳細な説明】
【技術分野】
【０００１】
本発明は、住宅等の屋根の棟構造に関するものである。
【背景技術】
【０００２】
図１３に示すように、住宅等の屋根上にアンテナ９１を設置した場合、アンテナ９１のアンテナケーブル９２を屋根面に添わして外壁９３側に配線し、外壁９３の上部等に設けた挿通孔９４に挿通して、屋内に配線するようにしていた。従って、アンテナケーブル９２が相当長い範囲に亘って、屋根面上に外部に露出した状態に配線されるため、アンテナケーブル９２によって、屋根の美観を損ねるし、またアンテナケーブル９２が直射日光や風雨にさらされて劣化し易くなるという問題があった。
そこで、図１４に示すように、屋根の棟部を上側から覆うように棟板９５を設けると共に、棟板９５上を覆う棟板カバー９６を設けた従来の棟構造では、棟板カバー９６のアンテナ９１の近傍に、ケーブル引込孔９７を設けると共に、棟板９５の外端部にケーブル引込孔９８を設け、アンテナ９１のアンテナケーブル９２を棟板カバー９６のケーブル引込孔９７に挿通して棟板カバー９６内に配線し、また、アンテナケーブル９２を棟板９５のケーブル引込孔９８から棟板９５の裏面を通して家屋内に導入し、このアンテナケーブル９２を家屋内のテレビ受信機等に接続するようにし、これにより、アンテナケーブル９２が外部に露出した状態で長く配線されないようにして、アンテナケーブル９２で屋根の美観を損ねたり、またアンテナケーブル９２が直射日光や風雨によって劣化するのを防止していた（例えば、特許文献１）。
【発明の開示】
【発明が解決しようとする課題】
【０００３】
しかし、従来の棟構造では、屋根への棟板９５及び棟板カバー９６の設置と同時に、アンテナ９１の設置及びそのアンテナケーブル９２の配線を行う必要があり、棟板９５及び棟カバー９６の設置後に、期間をおいて、アンテナ９１を新たに屋根に取り付けたり、アンテナ９１を取り換えたりする場合には、アンテナケーブル９２を配線するために、わざわざ棟板カバー９６を棟板９５から取り外して、アンテナケーブル９２を、棟板カバー９６のケーブル引込孔９７に挿通すると共に、棟板９５のケーブル引込孔９８に挿通して、屋内側にアンテナケーブル９２を導入した後に、棟板カバー９６を棟板９５に取付けなければならず、アンテナケーブル９２の配線作業が非常に煩雑になった。
【０００４】
本発明は上記問題点に鑑み、アンテナケーブルを、劣化を防止できると共に屋根の美観を損なうことなく配線できると同時に、屋根への棟包みや換気棟の設置後に期間をおいてアンテナを屋根に設置する場合でも、アンテナケーブルの配線を簡単になし得るようにしたものである。
【課題を解決するための手段】
【０００５】
この技術的課題を解決するための本発明の技術的手段は、屋根４の棟部を上側から覆うように棟包み９が設けられた棟構造において、
アンテナケーブル１７が棟包み９内に配線保持され、該アンテナケーブル１７の一端部に、屋根４上に設置されるアンテナのアンテナケーブルに接続可能な外コネクタ１８が設けられ、アンテナケーブル１７の他端側は、屋根４の棟部から屋内に導入可能な長さに設定されている点にある。
また、本発明の他の技術的手段は、屋根４の棟部分に設けた屋根開口部３３の上方に換気棟３４が設けられ、屋根開口部３３からの排気が換気棟３４を通して外部に排出されるようにした棟構造において、
アンテナケーブル１７が換気棟３４内に配線保持され、アンテナケーブル１７の一端部に、屋根４上に設置されるアンテナのアンテナケーブルに接続可能な外コネクタ１８が設けられ、アンテナケーブル１７の他端側は、屋根開口部３３から屋内に導入可能な長さに設定されている点にある。
【０００６】
また、本発明の他の技術的手段は、前記外コネクタ１８が外方突出するように、アンテナケーブル１７の一端部が棟包み９又は換気棟３４に内外貫通状に挿通保持されている点にある。
また、本発明の他の技術的手段は、前記アンテナケーブル１７の他端部に、屋内に配線されるアンテナケーブルに接続可能な内コネクタ２８が設けられている点にある。
【発明の効果】
【０００７】
アンテナケーブルを、劣化を防止できると共に屋根の美観を損なうことなく配線できる。屋根への棟包みや換気棟の設置後に期間をおいてアンテナを屋根に設置する場合でも、アンテナケーブルの配線を簡単になし得る。
【発明を実施するための最良の形態】
【０００８】
以下、本発明を図示の実施の形態に従って説明する。
図１において、１は棟木、２は垂木、３は野地板で、棟木１と垂木２とで組み上げた屋根４の骨組上に張り付けられている。野地板３の上面にアスファルトルーフィング等の防水シート５が敷かれ、その上にストレート瓦等の屋根材６が葺かれている。
棟を挟む両側の屋根材６上に笠木７がそれぞれ設置されて、釘等の固定具により屋根面４ａ、４ｂにそれぞれ固定されている。棟を挟む一対の屋根面４ａ，４ｂ間に跨るように棟包み９が設けられている。棟包み９は、棟の両側の笠木７を上側から覆うように配置されて、図示省略の釘等の固定具により笠木７に取り付けられている。
【０００９】
前記棟包み９は、図２及び図３に示すように、屋根４の棟に添って桁行方向に複数個設けられ、各棟包み９は屋根４の棟部を上側から覆っている。図２に示すように、屋根４の棟上にテレビ受信用のアンテナ１５が設置されている。アンテナ１５は短いアンテナケーブル１６を備えている。
図１及び図４に示すように、各棟包み９は、一対の屋根面４ａ，４ｂに沿うように山形状に形成された一対の上壁１０と、一対の上壁１０の外側端から下方に突出された一対の側壁１１と、一対の側壁１１の下端から屋根面４ａ，４ｂに添うように屋根流れ方向に突出された一対の設置壁１２とを有している。設置壁１２の外端部に、下側にＵ字状に折り返してなる折り返し部１３が設けられている。複数の棟包み９の内の桁方向中央側であってアンテナ１５の近傍の１つの棟包み９内に、アンテナケーブル１７が配線保持されている。アンテナケーブル１７の一端部（外側端部）に、アンテナ１５のアンテナケーブル１６に接続可能な外コネクタ１８が設けられている。
【００１０】
アンテナケーブル１７の一端部（外端部）が棟包み９に内外貫通状に挿通保持されて、外コネクタ１８が棟包み９から外方突出されている。即ち、図５に示すように、棟包み９の一方の側壁１１に取付孔２０が設けられ、アンテナケーブル１７の一端部に、外コネクタ１８とフランジ２１とねじ軸２２とが設けられ、アンテナケーブル１７はねじ軸２２及びフランジ２１に挿通されて外コネクタ１８に接続されており、ねじ軸２２は外側から側壁１１に取付孔２０を介して挿通され、パッキン２４がねじ軸２２に外嵌されてフランジ２１と側壁１１との間に介在され、ナット２５が側壁１１の内側からねじ軸２２に螺合されて締め付けられ、これによって、アンテナケーブル１７の一端部が側壁１１に貫通固定され、外コネクタ１８が側壁１１から外方突出されている。この外コネクタ１８は雄型のコネクタであって、図５に鎖線で示す如くアンテナ１５のアンテナケーブル１６の雌型のコネクタ２７が着脱自在に接続されるようになっている。
【００１１】
アンテナケーブル１７の他端側（内端側）は、屋根４の棟部から屋内に導入可能な長さに設定されている。アンテナケーブル１７の他端側は、ルーフィング５及び野地板３に形成した引込孔３０，３１を通して屋内に導入され、アンテナケーブル１７の他端部（内端部）に、屋内に配線されるアンテナケーブルに接続可能な内コネクタ２８が設けられている。この内コネクタ２８は、例えば雌型のコネクタであって、屋内に設置したテレビ受信機等に接続したアンテナケーブルの雄型のコネクタに着脱自在に接続可能である。
なお、図３に示すように、前記笠木７は桁行方向に複数個並べて配置されていて、棟包み９から外方突出した外コネクタ１８に対応する部分には、隣り合う笠木７間に隙間２９が形成されている。
【００１２】
上記実施の形態によれば、住宅等の屋根４に棟包み１９を設置する場合、複数の棟包み１９の内の１つに上記の如くアンテナケーブル１７が保持された棟包み１９を設置し、屋根４の下地材であるルーフィング５及び野地板３等に引込孔３０，３１を形成して、アンテナケーブル１７の他端側を、引込孔３０，３１に挿通して屋内に導入しておけばよい。
棟包み９の設置後に期間おいて屋根４にアンテナ１５を設置する場合でも、図２に示すように、屋根４に設置したアンテナ１５のアンテナケーブル１６を、アンテナケーブル１６のコネクタ２７と側壁１１から外方突出した外コネクタ１８とを利用して、棟包み９のアンテナケーブル１７に着脱自在に接続し、また、屋内に設置したテレビ受信機等に接続したアンテナケーブルを、屋内に導入した内コネクタ２８を利用して、アンテナケーブル１７に接続すればよく、非常に簡単にアンテナケーブルを配線工事を行うことができる。
【００１３】
しかも、アンテナ１５のアンテナケーブル１６は、棟包み９の外コネクタ１８に届く長さがあればよく、アンテナケーブル１６は非常に短くて済む。また、棟包み９のアンテナケーブル１７は、その大部分が棟包み９内にあって、直射日光が当たったり、風雨にさらされたりすることがなくなり、アンテナケーブル１６及びアンテナケーブル１７によって、屋根４の美観を損なうこともなくなるし、また、アンテナケーブル１７の劣化を効果的に防止することができる。
図６は他の実施形態を示し、中央部に軸方向の挿通孔３２ａを有すると共に外周に環状の係合溝３２ｂを有するゴム製等のパッキン３２を設け、このパッキン３２を棟包み９の側壁１１の取付孔２０の開口縁部に、係合溝３２ｂを介して係合固着し、アンテナケーブル１７の一端部側をパッキン３２に挿通孔３２ａを介して挿通保持して、外コネクタ１８を側壁１１から外方突出させたものである。その他の点は前記実施の形態の場合と同様の構成である。
【００１４】
なお、前記図１〜図５及び図６の実施の形態では、棟包み９内に１本のアンテナケーブル１７を配線保持して、棟包み９の側壁１１に１つの取付孔２０を設け、この取付孔２０を介してアンテナケーブル１７の一端側端部を内外貫通状に保持固定しているが、これに代え、図７に示すように、棟包み９の側壁１１に取付孔２０を複数個（例えば３個）設け、これら取付孔２０を介して複数のアンテナケーブル１７の一端側端部を内外貫通状に保持固定して、複数のアンテナケーブル１７を棟包み９内に配線保持するようにしてもよい。また、図７に示すように、棟包み９の側壁１１に代えて、棟包み９の上壁１０に取付孔２０を設け、この取付孔２０を介してアンテナケーブル１７の一端部（外端部）を棟包み９に内外貫通状に挿通保持して、外コネクタ１８が上壁１０から外方突出するようにしてもよい。
【００１５】
図８は他の実施形態を示し、屋根４の棟部分に、上下方向に貫通する屋根開口部３３が形成されている。この屋根開口部３３は、例えば、垂木２，野地板３及び屋根材６等を切り欠いてなり、この屋根開口部３３の上方に、棟を挟む一対の屋根面４ａ、４ｂ間に跨るように換気棟３４が設けられている。
前記換気棟３４は、板金等で形成された下部材３５と上部材３６とを備えており、下部材３５は、屋根開口部３３を覆うように配置され、上部材３６は、下部材３５を覆うように配置されている。
【００１６】
前記下部材３５は、一対の屋根面４ａ，４ｂに沿うように山形状に形成された一対の上壁３８と、一対の上壁３８の外側端から下方に突出された一対の側壁３９と、一対の側壁３９の下端から屋根面４ａ，４ｂに添うように屋根流れ方向に突出された一対の設置壁４０とを有し、上壁３８の頂部には、屋根開口部７に上下方向で対向する排気口４１が形成されている。下部材３５は、その設置壁４０が屋根面４ａ，４ｂ上に防水材４２を介して載置され、その上から釘等の固定部材４３を野地板３等に達するまで打ち込むことで、屋根面４ａ，４ｂ上に固定されている。
【００１７】
上部材３６は、山形状に形成された一対の上壁４５と、一対の上壁４５の外側端から下方に突出された一対の側壁４６とを備えている。上部材３６の側壁４６は、下部材３５の側壁３９より軒側に位置している。
上部材３６は、下部材３５との間に一定の空間を保つように下部材３５の上方に配置され、一対の第１支持金具４８及び一対の第２支持金具４９を介して下部材３５に連結固定されている。上部材３６と下部材３５との間の空間が、梁行方向一端側から他端側にわたって空気を流通させると共に棟部分で屋根開口部３３に連通する換気通路５１とされており、上部材３６の側壁の下端と屋根面４ａ，４ｂとの間が換気通路５１の空気の出入口５２とされている。
【００１８】
上部材３６の一対の上壁４５に、換気通路５１内に突出するように一対の防水桟５５及び一対の防水桟５６がそれぞれ取付けられ、下部材３５の一対の上壁３８に換気通路５１内に突出するように一対の防水桟５７が取付けられ、これら防水桟５５，５６，５７によって換気通路５１を迂回した通路とするラビリンス構造に形成している。
なお、図示省略しているが、下部材３６の桁行方向両側には、上壁３８の桁行方向の端部から上部材３６の上壁４５の近傍に向けて立ち上がる図示省略の閉塞板が設けられている。また、上部材３６の桁行方向両側には、上壁４５の桁行方向端部から下部材３５の上壁３８近傍に向けて垂れ下がる図示省略の閉塞板が、設けられており、この閉塞板は前記下部材３５の閉塞板の桁行方向の外側に位置され、これら閉塞板によって、換気通路５１の桁行方向両側端部が塞がれている。また、下部材３５は棟包みに桁行方向でつき合わせ状に接続されており、この棟包みは、下部材３５の上壁３８、側壁３９、設置壁４０に対応する上壁、側壁及び設置壁を有していて下部材３５と略同じ形状に形成されている。
【００１９】
前記実施の形態における棟包み９に代えて換気棟３４内に、アンテナケーブル１７が配線保持され、アンテナケーブル１７の一端部（外側端部）に、アンテナ１５のアンテナケーブル１６に接続可能な外コネクタ１８が設けられている。
アンテナケーブル１７の一端部（外端部）が換気棟３４（下部材３５の一方の側壁３９）に内外貫通状に挿通保持されている。なお、この場合の保持構造は、前記図５に示すように、フランジ２１、ねじ軸２２、パッキン２４及びナット２５等を使用した保持構造であっても良いし、また、図６に示すように、パッキン３２を使用した保持構造であってもよい。
【００２０】
前記実施の形態の場合と同様に、アンテナケーブル１７の他端側（内端側）は、屋根４の棟部から屋内に導入可能な長さに設定されている。アンテナケーブル１７の他端側は、屋根開口部３３を通して屋内に導入され、アンテナケーブル１７の他端部（内端部）に、屋内に配線されるアンテナケーブルに接続可能な内コネクタ２８が設けられている。
上記実施の形態によれば、アンテナケーブル１７を挿通保持した換気棟３４の設置後に、期間おいて屋根４にアンテナ１５を設置する場合でも、アンテナ１５のアンテナケーブル１６を、アンテナケーブル１６のコネクタ２７と側壁１１から外方突出した外コネクタ１８とを利用して、棟包み９のアンテナケーブル１７に着脱自在に接続し、また、屋内に設置したテレビ受信機等に接続したアンテナケーブルを、屋内に導入した内コネクタ２８を利用して、アンテナケーブル１７に接続すればよく、非常に簡単にアンテナケーブルの配線工事を行うことができる。しかも、アンテナ１５のアンテナケーブル１６は非常に短くて済むし、換気棟３４のアンテナケーブル１７は、その大部分が換気棟３４内にあって、直射日光が当たったり、風雨にさらされたりすることがなくなり、アンテナケーブル１６及びアンテナケーブル１７によって、屋根４の美観を損なうこともなくなるし、また、アンテナケーブル１７の劣化を効果的に防止することができる。
【００２１】
図９は他の実施の形態を示し、換気棟３４のラビリンス構造を有する換気通路５１に、アンテナケーブル１７を挿入配置することによって、アンテナケーブル１７が換気棟３４内に配線保持されている。アンテナケーブル１７の外コネクタ１８は換気通路５１の出入口５２から外部に突出され、アンテナケーブル１７の他端側（内端側）は、屋根４の棟部から屋内に導入可能な長さに設定されて、屋根開口部３３を通して屋内に導入され、アンテナケーブル１７の他端部（内端部）に内コネクタ２８が設けられている。その他の点は、前記図８の実施の形態の場合と同様の構成である。
【００２２】
図１０は他の実施形態を示し、図９の実施の形態の場合と同様に、換気棟３４のラビリンス構造を有する換気通路５１に、アンテナケーブル１７を挿入配置することによって、アンテナケーブル１７が換気棟３４内に配線保持されている。アンテナケーブル１７の一端部（外端部）は換気棟３４（上部材３６の一方の側壁４６）に内外貫通状に挿通保持されている。なお、この場合の保持構造は、前記図５に示すように、フランジ２１、ねじ軸２２、パッキン２４及びナット２５等を使用した保持構造であっても良いし、また、図６に示すように、パッキン３２を使用した保持構造であってもよい。その他の点は、前記図８又は図９の実施の形態の場合と同様の構成である。
【００２３】
図１１は他の実施の形態を示し、換気棟３４の構造が、前記図８，図９，図１０の実施の形態の場合とは異なっており、換気棟３４は、板金製の上部材（換気棟板）６１と板金製の左右一対の下部材（棟板受け）６２とを備えている。
上部材６１は、一対の上壁６３と、一対の上壁６３の外側端から下方に突出された一対の側壁６４とを有している。
一対の下部材６２は、一対の上壁６３の外側部側（軒側）の下方にそれぞれ配置され、各下部材６２は、上壁６３に対向する受け壁６６と、受け壁６６の外側端から上側に折り返した折り返し壁６７と、折り返し壁６７の内側端から上方に突出した防水壁６８と、受け壁６６の内側端から上方突出した起立壁６９と、起立壁６９から屋根流れ方向の外側方に突出した接当壁７０と、接当壁７０の外側端から下方突出した防水壁７１とを有している。下部材６２は、その受け壁６６が屋根面４ａ，４ｂ上に防水材７２を介して載置され、その上から釘等の固定部材７３を野地板３等に達するまで打ち込むことで、屋根面４ａ，４ｂ上に固定されている。
【００２４】
上部材６１と一対の下部材６２との間の空間が、梁行方向一端側から他端側にわたって空気を流通させると共に棟部分で屋根開口部３３に連通する換気通路７７とされており、上部材６１の側壁６４下端と下部材６２の折り返し壁６７との間が換気通路７７の空気の出入口７８とされている。
各下部材６２の起立壁６９の上部に流通口８１が設けられ、上部材６１の一対の上壁６３に、換気通路７７内に突出するように一対の防水桟８２がそれぞれ取付けられ、この防水桟８２と流通口８１と防水壁６８，７１とによって、換気通路７７を迂回した通路とするラビリンス構造に形成している。
【００２５】
前記換気棟３４内に、アンテナケーブル１７が配線保持され、アンテナケーブル１７の一端部（外側端部）に、アンテナ１５のアンテナケーブル１６に接続可能な外コネクタ１８が設けられている。アンテナケーブル１７の一端部（外端部）が換気棟３４（上部材６１の一方の上壁６３）に内外貫通状に挿通保持されている。なお、この場合の保持構造は、前記図５に示すように、フランジ２１、ねじ軸２２、パッキン２４及びナット２５等を使用した保持構造であっても良いし、また、図６に示すように、パッキン３２を使用した保持構造であってもよい。
【００２６】
前記実施の形態の場合と同様に、アンテナケーブル１７の他端側（内端側）は、屋根４の棟部から屋内に導入可能な長さに設定されている。アンテナケーブル１７の他端側は、屋根開口部３３を通して屋内に導入され、アンテナケーブル１７の他端部（内端部）に、屋内に配線されるアンテナケーブルに接続可能な内コネクタ２８が設けられている。
上記実施の形態によれば、アンテナケーブル１７を挿通保持した換気棟３４の設置後に、期間おいて屋根４にアンテナ１５を設置する場合、アンテナ１５のアンテナケーブル１６を、アンテナケーブル１６のコネクタ２７と上壁６３から外方突出した外コネクタ１８とを利用して、換気棟３４のアンテナケーブル１７に着脱自在に接続し、また、屋内に設置したテレビ受信機等に接続したアンテナケーブルを、屋内に導入した内コネクタ２８を利用して、アンテナケーブル１７に接続すればよく、非常に簡単にアンテナケーブルの配線工事を行うことができる。しかも、アンテナ１５のアンテナケーブル１６は非常に短くて済むし、換気棟３４のアンテナケーブル１７は、その大部分が換気棟３４内にあって、直射日光が当たったり、風雨にさらされたりすることがなくなり、アンテナケーブル１６及びアンテナケーブル１７によって、屋根４の美観を損なうこともなくなるし、また、アンテナケーブル１７の劣化を効果的に防止することができる。
【００２７】
図１２は他の実施の形態を示し、換気棟３４のラビリンス構造を有する換気通路７７に、アンテナケーブル１７を挿入配置することによって、アンテナケーブル１７が換気棟３４内に配線保持されている。アンテナケーブル１７の一端部（外端部）は換気棟３４（上部材６１の一方の上壁６３）に内外貫通状に挿通保持されている。なお、この場合の保持構造は、前記図５に示すように、フランジ２１、ねじ軸２２、パッキン２４及びナット２５等を使用した保持構造であっても良いし、また、図６に示すように、パッキン３２を使用した保持構造であってもよい。その他の点は、前記図１１の実施の形態の場合と同様の構成である。
【００２８】
なお、前記実施の形態では、アンテナケーブル１７の一端部（外側端部）に設けられた外コネクタ１８は、雄型のコネクタとされ、これに、アンテナ１５のアンテナケーブル１６の雌型のコネクタ２７が着脱自在に接続されるようになっているが、これに代え、外コネクタ１８を雌型のコネクタとし、アンテナ１５のアンテナケーブル１６のコネクタ２７を雄型のコネクタとして、雌型の外コネクタ１８にアンテナ１５のアンテナケーブル１６の雄型のコネクタ２７を着脱自在に接続するようにしてもよい。また、アンテナケーブル１７の他端部に設けられた内コネクタ２８についても、雌型コネクタに代えて雄型のコネクタとしてもよいことは勿論である。
【００２９】
また、前記実施の形態では、アンテナケーブル１７の他端部に内コネクタ２８が設けられ、この内コネクタ２８を、屋内に設置したテレビ受信機等に接続したアンテナケーブルのコネクタに着脱自在に接続するようにしているが、これに代え、アンテナケーブル１７の他端部に内コネクタ２８を設けず、アンテナケーブル１７の他端部を、屋内に設置したテレビ受信機等に直接接続するようにしてもよい。
【産業上の利用可能性】
【００３０】
住宅等の屋根に設置される棟包みや換気棟を有する棟構造に利用される。
【図面の簡単な説明】
【００３１】
【図１】本発明の一実施の形態を示す棟部分の概略断面図である。
【図２】同住宅の斜視図である。
【図３】同住宅の屋根の斜視図である。
【図４】同棟包みの斜視図である。
【図５】同棟包み部分の断面図である。
【図６】他の実施形態を示す棟包み部分の断面図である。
【図７】他の実施形態を示す棟包みの斜視図である。
【図８】他の実施の形態を示す棟部分の概略断面図である。
【図９】他の実施の形態を示す棟部分の概略断面図である。
【図１０】他の実施の形態を示す棟部分の概略断面図である。
【図１１】他の実施の形態を示す棟部分の概略断面図である。
【図１２】他の実施の形態を示す棟部分の概略断面図である。
【図１３】従来例を示す概略図である。
【図１４】他の従来例を示す斜視図である。
【符号の説明】
【００３２】
４    屋根
９    棟包み
１７    アンテナケーブル
１８    外コネクタ
２８    内コネクタ
３３    屋根開口部
３４    換気棟
【図１】
2005102398.tif 000003
【図２】
2005102398.tif 000004
【図３】
2005102398.tif 000005
【図４】
2005102398.tif 000006
【図５】
2005102398.tif 000007
【図６】
2005102398.tif 000008
【図７】
2005102398.tif 000009
【図８】
2005102398.tif 000010
【図９】
2005102398.tif 000011
【図１０】
2005102398.tif 000012
【図１１】
2005102398.tif 000013
【図１２】
2005102398.tif 000014
【図１３】
2005102398.tif 000015
【図１４】
2005102398.tif 000016
【手続補正書】
【提出日】平成15年10月16日(2003.10.16)
【手続補正１】
【補正対象書類名】明細書
【補正対象項目名】０００２
【補正方法】変更
【補正の内容】
【０００２】
図１３に示すように、住宅等の屋根上にアンテナ９１を設置した場合、アンテナ９１のアンテナケーブル９２を屋根面に添わして外壁９３側に配線し、外壁９３の上部等に設けた挿通孔９４に挿通して、屋内に配線するようにしていた。従って、アンテナケーブル９２が相当長い範囲に亘って、屋根面上に外部に露出した状態に配線されるため、アンテナケーブル９２によって、屋根の美観を損ねるし、またアンテナケーブル９２が直射日光や風雨にさらされて劣化し易くなるという問題があった。
そこで、図１４に示すように、屋根の棟部を上側から覆うように棟板９５を設けると共に、棟板９５上を覆う棟板カバー９６を設けた従来の棟構造では、棟板カバー９６のアンテナ９１の近傍に、ケーブル引込孔９７を設けると共に、棟板９５の外端部にケーブル引込孔９８を設け、アンテナ９１のアンテナケーブル９２を棟板カバー９６のケーブル引込孔９７に挿通して棟板カバー９６内に配線し、また、アンテナケーブル９２を棟板９５のケーブル引込孔９８から棟板９５の裏面を通して家屋内に導入し、このアンテナケーブル９２を家屋内のテレビ受信機等に接続するようにし、これにより、アンテナケーブル９２が外部に露出した状態で長く配線されないようにして、アンテナケーブル９２で屋根の美観を損ねたり、またアンテナケーブル９２が直射日光や風雨によって劣化するのを防止していた（例えば、特許文献１）。
【特許文献１】実開平５−９６２５０号公報